(57)【要約】      （修正有）【課題】携帯性に優れる上に、多様な角度から被写体を撮影するための撮影モジュールが備えられたフレキシブル装置を提供する。【解決手段】フレキシブル装置は、被写体の映像（映像はイメージおよび動画を含む）を撮影する１つ以上の撮影モジュール１１、撮影された１つ以上の映像を格納する格納モジュール１２、撮影された１つ以上の映像が外部デバイスでディスプレイされるように、外部デバイスに送信する通信モジュール１３、撮影モジュール、格納モジュール、および通信モジュールを駆動するための命令を生成する制御モジュール１０、撮影モジュール、格納モジュール、通信モジュール、および制御モジュールを備え、一体型に形成され、力が加えられると変形し、力が解除されても変形した状態をそのまま維持することを特徴とするフレキシブル本体、撮影モジュールの少なくとも上側面を覆って、フレキシブル本体の一端部と結合するハウジングを備える。【選択図】図１
2018078581.tif 000002
【特許請求の範囲】
【請求項１】
撮影モジュールが備えられたフレキシブル装置であって、
被写体の映像を撮影する１つ以上の撮影モジュール、
前記撮影モジュールから撮影された１つ以上の映像を格納する格納モジュール、
前記撮影モジュールから撮影された１つ以上の映像が外部デバイスでディスプレイされるように、前記１つ以上の映像を外部デバイスに送信する通信モジュール、
前記撮影モジュール、格納モジュール、および通信モジュールを駆動するための命令を生成する制御モジュール、
前記撮影モジュール、格納モジュール、通信モジュール、および制御モジュールを備え、一体型に形成され、力が加えられると変形し、力が解除されても変形した状態をそのまま維持することを特徴とするフレキシブル本体、および
前記撮影モジュールを収容し、前記撮影モジュールの少なくとも上側面を覆って前記撮影モジュールを保護し、さらに前記フレキシブル本体の一端部と結合するハウジング、
を備える、撮影モジュールが備えられ、
前記ハウジングは、一部分が分離し、前記撮影モジュールおよび前記フレキシブル本体のうち少なくとも１つから着脱可能であることを特徴とするフレキシブル装置。
【請求項２】
前記ハウジングは、
前記ハウジングの少なくとも一部分と結合するレンズをさらに備え、前記レンズは、前記ハウジングから着脱可能であることを特徴とする、請求項１に記載の撮影モジュールが備えられたフレキシブル装置。
【請求項３】
前記ハウジングは、
前記撮影モジュールを保護するために前記ハウジングの少なくとも一部分が防水素材で構成されることを特徴とする、請求項１に記載の撮影モジュールが備えられたフレキシブル装置。
【請求項４】
前記撮影モジュールは、
カメラの動きに応じてレンズが人間の目のように動いて自動で焦点を合わせるＯＩＳ（Ｏｐｔｉｃａｌ  Ｉｍａｇｅ  Ｓｔａｂｉｌｉｚｅｒ）モジュール、
をさらに備える、請求項１に記載の撮影モジュールが備えられたフレキシブル装置。
【請求項５】
前記撮影モジュールは、
焦点調節のためのＡＦＡ（Ａｕｔｏ  Ｆｏｃｕｓ  Ａｃｔｕａｔｏｒ）モジュール、
をさらに備える、請求項１に記載の撮影モジュールが備えられたフレキシブル装置。
【請求項６】
前記撮影モジュールは、
前記撮影モジュールによってイメージを撮影するときに周辺を明るく照らすために発光するフラッシュモジュール、
をさらに備える、請求項１に記載の撮影モジュールが備えられたフレキシブル装置。
【請求項７】
前記撮影モジュールは、
ＩＳＯ調節機能、解像度調節機能、アウトフォーカス機能、機械的シャッタ、およびズーム機能のうち少なくとも１つの機能を備えることを特徴とする、請求項１に記載の撮影モジュールが備えられたフレキシブル装置。
【請求項８】
前記格納モジュールは、
フラッシュメモリタイプ（ｆｌａｓｈ  ｍｅｍｏｒｙ  ｔｙｐｅ）、ＳＤメモリ、ＸＤメモリ、磁気メモリ、および磁気ディスクのうち少なくとも１つを備えることを特徴とす
る、請求項１に記載の撮影モジュールが備えられたフレキシブル装置。
【請求項９】
前記通信モジュールは、
近距離通信モジュールおよび無線通信モジュールのうち少なくとも１つを備え、前記撮影モジュール、前記格納モジュール、および前記外部デバイスによるデータを送受信できることを特徴とする、請求項１に記載の撮影モジュールが備えられたフレキシブル装置。
【請求項１０】
前記通信モジュールは、
前記撮影モジュールから撮影された１つ以上の映像を前記外部デバイスでストリーミングするように、前記１つ以上の映像を前記外部デバイスに送信することを特徴とする、請求項１に記載の撮影モジュールが備えられたフレキシブル装置。
【請求項１１】
前記通信モジュールは、
前記撮影モジュールから撮影された１つ以上の映像を予め決定された期間単位で、自動的に予め決定された外部デバイスおよび外部サーバのうち少なくとも１つに送信することを特徴とする、請求項１に記載の撮影モジュールが備えられたフレキシブル装置。
【請求項１２】
前記制御モジュールは、
前記撮影モジュールを制御して連続撮影、パノラマ撮影、サラウンド撮影、３次元立体撮影、近接撮影を行えるように形成されることを特徴とする、請求項１に記載の撮影モジュールが備えられたフレキシブル装置。
【請求項１３】
前記制御モジュールは、
前記フレキシブル本体の動作方向および動作速度のうち少なくとも１つを制御できることを特徴とする、請求項１に記載の撮影モジュールが備えられたフレキシブル装置。
【請求項１４】
前記制御モジュールは、
予め設定された音声命令にしたがって音声命令信号を感知し、前記命令にしたがって前記制御モジュールを駆動する音声制御モジュール、
をさらに備え、
前記音声命令は、
前記撮影モジュールおよび前記外部デバイスに内蔵された音声入力部によって設定され、感知できることを特徴とする、請求項１に記載の撮影モジュールが備えられたフレキシブル装置。
【請求項１５】
前記制御モジュールは、
前記フレキシブル本体の動作方向、動作速度、および前記撮影モジュールを制御することにより、前記フレキシブル本体を屈曲および回転のうち少なくとも１つの形態で動作するようにする動作モジュール、
をさらに備える、請求項１に記載の撮影モジュールが備えられたフレキシブル装置。
【請求項１６】
前記制御モジュールは、
前記制御モジュールを駆動するためのユーザ入力を受けるためのキー入力部、
をさらに備える、請求項１に記載の撮影モジュールが備えられたフレキシブル装置。
【請求項１７】
前記入力部は、
前記フレキシブル本体の一端面に形成されることを特徴とする、請求項１６に記載の撮影モジュールが備えられたフレキシブル装置。
【請求項１８】
前記入力部は、
前記通信モジュールと通信可能なリモートコントローラに形成されることを特徴とする、請求項１６に記載の撮影モジュールが備えられたフレキシブル装置。
【請求項１９】
前記入力部は、
前記通信モジュールと通信可能な外部デバイスのユーザ入力部に対応できることを特徴とする、請求項１６に記載の撮影モジュールが備えられたフレキシブル装置。
【請求項２０】
前記入力部は、
ソフトキー入力部および物理キー入力部のうち少なくとも１つの形態で備えられることを特徴とする、請求項１６に記載の撮影モジュールが備えられたフレキシブル装置。
【請求項２１】
前記フレキシブル本体は、
前記被写体の速度を感知する速度感知モジュール、
をさらに備え、
前記制御モジュールは、
前記速度感知モジュールによって感知される前記被写体の速度に応じてレンズおよび前記撮影モジュールを自動調節できることを特徴とする、請求項１に記載の撮影モジュールが備えられたフレキシブル装置。
【請求項２２】
前記フレキシブル本体は、
前記フレキシブル本体の一端に位置する持ち手部、
をさらに備える、請求項１に記載の撮影モジュールが備えられたフレキシブル装置。
【請求項２３】
前記フレキシブル本体は、
前記フレキシブル本体の両終端部の面積が前記フレキシブル本体の中間部の面積よりも広いことを特徴とする、請求項１に記載の撮影モジュールが備えられたフレキシブル装置。
【請求項２４】
前記撮影モジュールを充電するための充電モジュール、
をさらに備える、請求項１に記載の撮影モジュールが備えられたフレキシブル装置。
【請求項２５】
前記充電モジュールは、
無線および有線のうち少なくとも１つの形態で充電可能な内部バッテリおよび外部バッテリのうち少なくとも１つを備えることを特徴とする、請求項２４に記載の撮影モジュールが備えられたフレキシブル装置。
【発明の詳細な説明】
【技術分野】
【０００１】
本発明は撮影装置に関し、より詳しくは、撮影モジュールが備えられ、外部デバイスと通信可能なフレキシブル装置に関する。
【背景技術】
【０００２】
イメージセンサおよび光学技術の発達に伴い、カメラの高画質化および小型化が進んでいる。
【０００３】
大韓民国公開特許１０−２００５−００００６６３号には、小型の携帯端末機にズーム機能を備えたレンズが設置された小型携帯端末機用カメラ装置に関する内容が記載されている。
【０００４】
最近は、インターネットの大衆化および携帯電子機器の高い普及率に伴い、ソーシャルネットワークサービス（ＳＮＳ）を利用した写真の共有が高い人気を集めている。
【０００５】
特に、ツイッター、フェイスブック、およびインスタグラムなどのようなＳＮＳ（ソーシャルネットワークサービス）を利用して自分の日常を共有できるようになってからは、多様かつ素敵な写真を撮影および共有することへの関心が増大している。
【０００６】
これを反映するように、２０１３年には、オックスフォードが選ぶ今年の単語として、自分自身の容姿を撮影することを指す「セルフィー（ｓｅｌｆｉｅ）」が選ばれたりもした。
【０００７】
すなわち、被写体を撮影するための撮影装置は、単なる撮影および格納媒体から共有のための媒介体に変化している。
【０００８】
これにより、多様な角度から被写体を撮影することができる撮影装置への要求が当業界に存在している。
【０００９】
これと共に、撮影した映像を気軽に共有することができる撮影装置への要求が当業界に存在している。
【発明の概要】
【発明が解決しようとする課題】
【００１０】
本発明の一実施形態が解決しようとする課題は、携帯性に優れる上に、多様な角度から被写体を撮影するための撮影モジュールが備えられたフレキシブル装置を提供することにある。
【００１１】
本発明の他の実施形態が解決しようとする課題は、撮影した映像を外部デバイスに送信するための撮影モジュールが備えられたフレキシブル装置を提供することにある。
【課題を解決するための手段】
【００１２】
上述したような課題を解決するために、本発明の一実施形態によると、撮影モジュールが備えられたフレキシブル装置を開示する。前記撮影モジュールが備えられたフレキシブル装置は、被写体の映像（前記映像はイメージおよび動画を含む）を撮影する１つ以上の撮影モジュール、前記撮影モジュールから撮影された１つ以上の映像を格納する格納モジュール、前記撮影モジュールから撮影された１つ以上の映像が外部デバイスでディスプレ
イされるように、前記１つ以上の映像を外部デバイスに送信する通信モジュール、前記撮影モジュール、格納モジュール、および通信モジュールを駆動するための命令を生成する制御モジュール、前記撮影モジュール、格納モジュール、通信モジュール、および制御モジュールを備え、一体型に形成され、力が加えられると変形し、力が解除されても変形した状態をそのまま維持することを特徴とするフレキシブル本体、および前記撮影モジュールを収容し、前記撮影モジュールの少なくとも上側面を覆って前記撮影モジュールを保護し、さらに前記フレキシブル本体の一端部と結合するハウジングを備えることができる。
【発明の効果】
【００１３】
本発明に係る撮影モジュールが備えられたフレキシブル装置は、携帯性に優れる上に、多様な角度から被写体を撮影することができる。
【００１４】
本発明に係る撮影モジュールが備えられたフレキシブル装置は、撮影した映像を外部デバイスに送信することができる。
【図面の簡単な説明】
【００１５】
以下では多様な形態が図面を参照しながら記載されているが、ここで類似する参照番号は、総括的に類似する構成要素を指称するために利用される。以下の実施形態では、説明の目的のために、多数の特定の詳細事項が１つ以上の形態の総体的な理解を提供するために提示される。しかし、このような形態（ら）が、このような具体的な詳細事項がなくても実施されることは明白であろう。他の例示において、公知の構造および装置は、１つ以上の形態の記載を容易にするためにブロック図の形態で示される。
【図１】本発明の一実施形態による撮影モジュールを備えたフレキシブル装置の構成を説明するためのブロック構成図である。
【図２ａ】図２ａは、本発明の一実施形態による撮影モジュールを備えたフレキシブル装置を示した図である。
【図２ｂ】図２ｂは、本発明の一実施形態による撮影モジュールを備えたフレキシブル装置および着脱可能なハウジングを示した図である。
【図３ａ】図３ａは、本発明の一実施形態による撮影モジュールを備えたフレキシブル装置の回転動作の例示的な形状を示した図である。
【図３ｂ】図３ｂは、本発明の他の実施形態による撮影モジュールを備えたフレキシブル装置の回転動作の例示的な形状を示した図である。
【図４】図４は、本発明の一実施形態による撮影モジュールを備えたフレキシブル装置の屈曲動作の例示的な形状を示した図である。
【図５】本発明の一実施形態による撮影モジュールを備えたフレキシブル装置を手首に装着したときの形状を示した図である。
【発明を実施するための形態】
【００１６】
以下、多様な実施形態および／または形態について図面を参照しながら開示する。下記の説明では、説明を目的に、１つ以上の形態の全般的な理解を助けるために多数の具体的な詳細事項を開示する。しかし、このような形態（ら）は、このような具体的な詳細事項がなくても実行できるという点も、本発明の技術分野において通常の知識を有する者は認識できるであろう。以後の記載および添付の図面は、１つ以上の形態の特定の例示的な形態を詳細に記述する。しかし、このような形態は例示的なものに過ぎず、多様な形態の原理における多様な方法の一部を利用することができることから、記述する説明は、このような形態およびこれらの均等物をすべて含むことを意図とする。
【００１７】
本明細書で使用されている「実施形態」、「例」、「形態」、「例示」などは、記述する任意の形態または設計が異なる形態、または設計よりも優れていたり利点があるものと解釈されない場合もある。
【００１８】
また、用語「または」は、排他的な「または」ではなく、内包的な「または」を意味することを意図とする。すなわち、異なって特定されていなかったり文脈上で不明確な場合、「ＸはＡまたはＢを利用する」は、自然的な内包的置換の１つを意味することを意図とする。すなわち、ＸがＡを利用したり、ＸがＢを利用したり、またはＸがＡおよびＢすべてを利用する場合、「ＸはＡまたはＢを利用する」が、これらの場合のいずれにも適用することができる。また、本明細書で使用されている「および／または」という用語は、列挙した関連アイテムのうち１つ以上のアイテムの可能なすべての組み合わせを指称して含むものと理解されなければならない。
【００１９】
さらに、「含む。」および／または「含む、」という用語は、該当する特徴および／または構成要素が存在することを意味するが、１つ以上の異なる特徴、構成要素、および／またはこれらのグループの存在または追加を排除しないものと理解されなければならない。また、異なって特定されていなかったり単数形態の指示が文脈上で不明確な場合に、本明細書と特許請求の範囲では、単数は一般的に「１つまたはそれ以上」を意味するものと解釈されなければならない。
【００２０】
図１は、本発明の一実施形態による撮影モジュールを備えたフレキシブル装置の構成を説明するためのブロック構成図である。
【００２１】
図に示すように、撮影モジュールが備えられたフレキシブル装置は、制御モジュール１０、撮影モジュール１１、格納モジュール１２、および通信モジュール１３を備えることができる。追加で、前記フレキシブル装置は、音声制御モジュール１４、速度感知モジュール１５、動作モジュール１６、および充電モジュール１７をさらに備えることもできる。
【００２２】
図１に示されている各モジュールは、本発明の一形態に係る例示に過ぎないため、追加される変数、モジュール、およびこれらの組み合わせも、本発明の権利範囲内に属することができる。
【００２３】
以下、各モジュールについて説明する。
【００２４】
フレキシブル装置は、撮影モジュール１１によって被写体の映像（前記映像はイメージおよび動画を含む）を撮影することができる。本発明の一形態によると、撮影モジュール１１として少なくとも１つ以上のカメラを選択することができる。または、少なくとも１つ以上のカムコーダのうち１つが撮影モジュール１１として選択されることができる。前記撮影モジュール１１は、フレキシブル本体２５（図２参照）の一端部に形成することができる。これについては図２で後述する。
【００２５】
前記撮影モジュール１１は、カメラの動きに応じてレンズが人間の目のように動いて自動で焦点を合わせるＯＩＳ（Ｏｐｔｉｃａｌ  Ｉｍａｇｅ  Ｓｔａｂｉｌｉｚｅｒ）モジュールをさらに備えることができる。ＯＩＳ（Ｏｐｔｉｃａｌ  Ｉｍａｇｅ  Ｓｔａｂｉｌｉｚｅｒ）とは、光学式手ぶれ補正を意味する。動きを検出するために複数のフレーム画像が必要となる電子式手ぶれ補正に比べ、ＯＩＳ（Ｏｐｔｉｃａｌ  Ｉｍａｇｅ  Ａｔａｂｉｌｉｚｅｒ）には、１つのフレーム画像だけでも補正が可能であるという特徴がある。
【００２６】
追加の実施形態による撮影モジュール１１は、焦点調節のためのＡＦＡ（Ａｕｔｏ  Ｆｏｃｕｓ  Ａｃｔｕａｔｏｒ）モジュールをさらに備えることもできる。ＡＦＡ（Ａｕｔｏ  Ｆｏｃｕｓ  Ａｃｔｕａｔｏｒ）とは、自動焦点装置を意味する。したがって、前記
撮影モジュール１１は、ＡＦＡモジュールに
よってレンズの位置を変化させてフォーカスを合わせ、これによって被写体をきれいに撮影することができる。ＡＦＡモジュールとしては、Ｅｎｃｏｄｅ方式、Ｐｉｅｚｏ方式、およびＶＣＭ（Ｖｏｉｃｅ  Ｃｏｉｌ  Ｍｏｔｏｒ）方式のうち少なくとも１つを採用することができる。
【００２７】
さらに、撮影モジュール１１は、前記撮影モジュールによってイメージを撮影するときに周辺を明るく照らすために発光するフラッシュモジュール（図示せず）をさらに備えることもできる。フラッシュモジュールは、撮影モジュール１１として選択されたカメラおよびカムコーダのうち１つの一側に配置させることができる。
【００２８】
追加で、前記フラッシュモジュールとして少なくとも１つ以上のＬＥＤを採用することができる。例えば、２つのＬＥＤ（例えば、デュアルＬＥＤ）をフラッシュモジュールとして採用することもできる。さらに、フラッシュモジュールは、フラッシュの均一な発光分布をサポートするＰＬフィルタ（Ｐｏｌａｒｉｚｅｄ  Ｌｉｇｈｔ  Ｆｉｌｔｅｒ）およびＣＰＬフィルタ（Ｃｉｒｃｕｌａｒ  Ｐｏｌａｒｉｚａｔｉｏｎ  Ｌｉｇｈｔ  Ｆｉｌｔｅｒ）のうち少なくとも１つをさらに備えることもできる。追加で、フラッシュモジュールの代わりに反射板を備えることができる。反射板によって被写体に光を反射することにより、被写体が適切に露出するようにできる。
【００２９】
また、撮影モジュール１１は、ＩＳＯ調節機能、解像度調節機能、アウトフォーカス機能、機械的シャッタ、およびズーム機能のうち少なくとも１つの機能を備えることを特徴とすることができる。
【００３０】
ＩＳＯ（Ｉｎｔｅｒｎａｔｉｏｎａｌ  Ｓｔａｎｄａｒｄｓ  Ｏｒｇａｎｉｚａｔｉｏｎ）とは、光に対する反応度を示す国際標準用語である。ＩＳＯ数字が高いほど、光に反応する速度が高くなる。
【００３１】
ＩＳＯは、ユーザによって選択することができる。例えば、昼間に人物写真を撮影するときにはＩＳＯ  １００を選択することができる。さらに、室内での撮影時にはＩＳＯ  ４００を選択することができる。追加で、ＩＳＯは、制御モジュール１０によって自動で調節することもできる。
【００３２】
解像度とは、１つのイメージ内にいくつのピクセルを含むかに対する尺度であり、全体ピクセルの数を意味する。単位としては、ｐｐｉ（ｐｉｘｅｌ  ｐｅｒ  ｉｎｃｈ）およびｄｐｉ（ｄｏｔ  ｐｅｒ  ｉｎｃｈ）を使用する。例えば、１５０ｄｐｉである場合には、横／縦１インチ内に１５０のピクセルが入っている。したがって、１インチ内に入っているピクセルの数が多いほど、鮮明なイメージの高画質を実現することができる。
【００３３】
本発明の一実施形態によると、撮影モジュール１１の解像度は、可変的に調節することができる。前記解像度はユーザによって選択することができる。また、前記解像度は、制御モジュール１０によって自動で調節することもできる。例えば、格納モジュール１２に余裕空間が少ない場合には、低い解像度に自動的に調節することができる。
【００３４】
さらに、アウトフォーカス（Ｏｕｔ  ｏｆ  ｆｏｃｕｓ）とは、選択焦点、すなわち、前記アウトフォーカス機能によって被写体の所望する部分に焦点を合わせて撮影することができる機能を意味する。したがって、本発明の一形態によると、前記被写体の所望する部分に焦点を合わせることにより、背景はぼかし、被写体は鮮明に撮影することができる。
【００３５】
追加で、撮影モジュール１１は、機械的シャッタ（ｍｅｃｈａｎｉｃａｌ  ｓｈｕｔｔｅｒ）を備えることができる。さらに、撮影モジュール１１は、電子式シャッタ（ｅｌｅｃｔｒｏｎｉｃ  ｓｈｕｔｔｅｒ）を備えることができる。上述した機械的シャッタおよび電子式シャッタは、共に備えることができ、撮影しようとするイメージ類型に合うシャッタモードを使用することができる。例えば、１０ｆｐｓ（ｆｐｓとはｆｒａｍｅ  ｐｅｒ  ｓｅｃｏｎｄの略語であり、１秒あたりのフレーム数を意味する）以上、すなわち、高速連続撮影には電子的シャッタを選択することができる。また、一般的な撮影の場合には、機械的シャッタを提供することができる。
【００３６】
さらに、撮影モジュール１１は、ズーム機能（ｚｏｏｍｉｎｇ  ｍｏｄｕｌｅ）を備え、遠くの被写体を撮影することができる。
【００３７】
本発明の一実施形態によると、撮影モジュール１１から撮影された１つ以上の映像は、格納モジュール１２に格納することができる。格納モジュール１２としては、フラッシュメモリタイプ（ｆｌａｓｈ  ｍｅｍｏｒｙ  ｔｙｐｅ）、ＳＤメモリ、ＸＤメモリ、磁気メモリ、および磁気ディスクのうち少なくとも１つを採用することができる。
【００３８】
本発明の一形態において、撮影モジュール１１から撮影された１つ以上の映像は、通信モジュール１３によって外部デバイスに送信することができる。このために、通信モジュール１３は、ネットワーク接続のための無線通信モジュールを備えることができる。
【００３９】
本発明の一実施形態によると、無線通信技術としては、ＷＬＡＮ（Ｗｉｒｅｌｅｓｓ  ＬＡＮ）（Ｗｉ−Ｆｉ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ
Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などを利用することができる。
【００４０】
また、通信モジュール１３は、近距離通信モジュールを備え、近距離通信モジュールを備えた電子装置とデータを送受信することができる。近距離通信（ｓｈｏｒｔ  ｒａｎｇｅ  ｃｏｍｍｕｎｉｃａｔｉｏｎ）技術としては、ＮＦＣ（Ｎｅａｒ  Ｆｉｅｌｄ  Ｃｏｍｍｕｎｉｃａｔｉｏｎ）、ブルートゥース（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ：ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ＺｉｇＢｅｅなどを利用することができる。
【００４１】
さらに、通信モジュール１３は、有線通信モジュールをさらに備えることもできる。有線通信技術としては、ＸＤＳＬ（Ｄｉｇｉｔａｌ  Ｓｕｂｓｃｒｉｂｅｒ  Ｌｉｎｅ）、ＦＴＴＨ（Ｆｉｂｅｒｓ  ｔｏ  ｔｈｅ  ｈｏｍｅ）、ＰＬＣ（Ｐｏｗｅｒ  Ｌｉｎｅ  Ｃｏｍｍｕｎｉｃａｔｉｏｎ）などを利用することができる。
【００４２】
これにより、撮影モジュール１１から撮影された１つ以上の映像は、撮影モジュールが備えられたフレキシブル装置２０と通信可能な外部デバイスのメモリモジュールに格納することができる。また、本発明の一形態に係るフレキシブル装置は、格納モジュール１２を備えることができ、撮影モジュール１１から撮影された映像を前記格納モジュール１２に格納することができる。
【００４３】
上述したメモリモジュールとしては、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリなど）、ＲＡＭ（Ｒａｎｄｏ
ｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ
Ｍｅｍｏｒｙ）、磁気メモリ、磁気ディスク、光ディスクのうち少なくとも１つのタイプの格納媒体を含むことができる。
【００４４】
さらに、撮影モジュール１１から撮影された１つ以上の映像は、インターネット（ｉｎｔｅｒｎｅｔ）上で格納機能を実行するウェブストレージ（ｗｅｂ  ｓｔｏｒａｇｅ）に格納することもできる。
【００４５】
本発明の一実施形態による通信モジュール１３は、前記撮影モジュール１１から撮影された１つ以上の映像が、撮影モジュールが備えられたフレキシブル装置２０と通信可能な外部デバイスでディスプレイされるように、前記１つ以上の映像を外部デバイスに送信することができる。
【００４６】
追加で、撮影された１つ以上の映像は、撮影モジュールが備えられたフレキシブル装置２０が変換モジュール（図示せず）をさらに備えることができるので、格納された映像ファイルのフォーマットを外部デバイスでディスプレイ可能なファイルフォーマットに変換することもできる。
【００４７】
追加で、撮影モジュール１１から撮影された１つ以上の映像は、前記外部デバイスでストリーミングするように、通信モジュール１３によって１つ以上の映像を前記外部デバイスに送信することができる。
【００４８】
さらに、撮影モジュール１１から撮影された１つ以上の映像は、通信モジュール１３および制御モジュール１０によって予め決定された期間単位で、自動的に予め決定された外部デバイスおよび外部サーバのうち少なくとも１つに送信することもできる。前記予め決定された期間および予め決定された外部デバイスおよび外部サーバは、ユーザによって変更することができる。例えば、撮影モジュール１１から撮影された１つ以上の映像は、１週間に１度ずつ外部デバイスに自動的に送信することができる。
【００４９】
または、予め設定されたアカウントで、撮影モジュール１１によって撮影された映像をアップロードすることができる。例えば、ソーシャルネットワークサービスのアカウントを連動させ、撮影モジュール１１から撮影された１つ以上の映像を通信モジュール１３によって直ぐに予め設定されたアカウントでアップロードすることができる。
【００５０】
本発明の一実施形態による制御モジュール１０は、前記撮影モジュール１１、格納モジュール１２、および通信モジュール１３を駆動するための命令を生成することができる。
【００５１】
すなわち、前記制御モジュール１０は、撮影モジュールを備えたフレキシブル装置２０の全般的な動作を制御することができる。
【００５２】
本発明の追加の実施形態によると、制御モジュール１０によって撮影モジュール１１を制御することができる。これにより、撮影モジュール１１は、連続撮影、パノラマ撮影、サラウンド撮影、３次元立体撮影、近接撮影を行うことができる。
【００５３】
連続撮影とは、連続的に写真を撮影することができる機能である。したがって、走っている子供を撮影したり、多様な顔の表情を撮影するときに効果的である。前記連続撮影のために予め決められた速度および予め決められた連続撮影回数を設定することができる。
追加で、前記予め決められた速度および予め決められた連続撮影回数は、複数で存在することができ、ユーザが選択できるようにすることもできる。または、ユーザが撮影を止めるまで予め決められた速度で連続撮影をすることもできる。
【００５４】
追加で、ＡＦＡモジュールを利用して、連続撮影する間に継続して焦点を自動で合わせることができる。フラッシュモジュールを共に使用することができるが、フラッシュの充電時間が必要となるため、連続撮影速度が遅くなる場合もある。
【００５５】
パノラマ撮影とは、３６０度方向のすべての景色を１枚の写真に入れることは不可能であるため、何枚かに分けて撮影した後、横に長く繋げて一目で見ることができるようにする技法である。
【００５６】
サラウンド撮影とは、写真を単方向ではなく４方向（上下左右）に動きながら撮影することができる機能である。
【００５７】
３次元立体撮影とは、１度に互いに異なる位置のレンズで撮影する技法である。このために、２つの映像を受けて合わせる別途のイメージプロセッサが存在することができる。
【００５８】
近接撮影とは、被写体の身近に接近して撮影することにより、カメラレンズが被写体の近くに接近することができる最短距離で被写体をフォーカスすることを意味する。
【００５９】
本発明の一実施形態によると、制御モジュール１０は、少なくとも１つ以上の撮影モジュール１１それぞれで撮影された少なくとも１つ以上の映像をすべて格納モジュール１２に格納することができる。これに関しては、上述した内容を参考とする。
【００６０】
本発明の追加の実施形態によると、制御モジュール１０は、音声制御モジュール１４をさらに備えることができる。すなわち、音声制御モジュール１４によって予め設定された音声命令にしたがって音声命令信号を感知し、前記感知した音声命令にしたがって前記モジュールを駆動することができる。参考までに、撮影モジュール１１および外部デバイスのうち少なくとも１つに内蔵された音声入力部によって設定された音声命令を「予め設定された音声命令」と称するようにする。
【００６１】
すなわち、「撮影」、「格納」、および「送信」などの音声命令が設定され、前記設定された音声命令に対応する動作、例えば、「撮影」、「格納」、および「送信」を実行することができる。このために、公知の音声認識（Ｓｐｅｅｃｈ  Ｒｅｃｏｇｎｉｔｉｏｎ）技術を使用することができる。
【００６２】
また、制御モジュール１０は、動作モジュール１４をさらに備えることができる。動作モジュール１４により、フレキシブル本体は、屈曲および回転のうち少なくとも１つの形態で動作することができる。さらに、前記動作モジュール１４によって動作方向、動作速度、および前記撮影モジュールを制御することもできる。これについては、図３、図４、および図５で後述する。
【００６３】
本発明の一実施形態によると、制御モジュール１０は、速度感知モジュール１５をさらに備えることができる。すなわち、速度感知モジュール１５によって被写体の速度を感知することができる。さらに、前記被写体の速度に応じてレンズおよび前記撮影モジュールを自動調節することができる。
【００６４】
また、制御モジュール１０は、前記モジュールを駆動するためのユーザ入力（例えば、撮影、送信、および格納など）を受けるためのキー入力部をさらに備えることができる。
すなわち、撮影モジュールが備えられたフレキシブル装置２０に形成されたキー入力部によってユーザ入力（例えば、撮影、送信、および格納など）が受信されると、制御モジュール１０は、これに対応する命令を生成することができる。例えば、「撮影」に関する信号が前記キー入力部によって入力されると、制御モジュール１０は、撮影モジュール１１によって被写体を撮影することができる。これについては、図２で後述する。
【００６５】
追加の実施形態によると、制御モジュール１０は、速度感知モジュール１５をさらに備えることができる。制御モジュール１０は、速度感知モジュール１５によって感知された速度に応じ、撮影モジュール１１がシャッタ値調整、解像度調整、および連続撮影回数調整などを行えるように撮影モジュール１１を制御することができる。
【００６６】
追加で、速度による撮影方法を予め設定することができ、速度感知モジュール１５によって速度が感知されると、撮影モジュール１１は、予め設定された情報に基づいて被写体を撮影することもできる。
【００６７】
さらに、撮影モジュールを備えたフレキシブル装置２０は、前記撮影モジュール１１および／または制御モジュール１０を充電するための充電モジュール１７をさらに備えることができる。
【００６８】
充電モジュール１７は、内部バッテリおよび外部バッテリのうち少なくとも１つを備えることができる。また、内部バッテリは、無線および有線のうち少なくとも１つの形態で充電を可能にすることができる。追加で、充電モジュール１７は、補助バッテリをさらに備えることができる。例えば、撮影モジュール１１を充電するために内部バッテリが採用された場合は、外部バッテリを補助バッテリとして採用することもできる。
【００６９】
より詳細には、充電モジュール１７は、外部バッテリ、電源供給時に撮影モジュール１１を充電することができる内部回路または撮影モジュール１１に内蔵されて無線で充電することができる内部回路のうち少なくとも１つを備えることができる。
【００７０】
また、撮影モジュールが備えられたフレキシブル装置２０は、前記装置に力が加わると変形することができるため、上述した充電モジュールとして、フレキシブル本体２５と共に変形することができるフレキシブルバッテリ（ｆｌｅｘｉｂｌｅ  ｂａｔｔｅｒｙ）を使用することができる。また、超小型ピン電池を使用することもできる。選択的または代案的に、カーブドバッテリ（ｃｕｒｖｅｄ  ｂａｔｔｅｒｙ）を使用することもできる。
【００７１】
追加で、フレキシブル本体の一領域に外部バッテリを採用するとき、バッテリを交換するために開閉可能に形成されたバッテリカバー部を構成することができる。追加で、前記バッテリカバー部は、開閉を容易に行うための結合溝をさらに備えることができる。充電バッテリカバー部は、撮影モジュール１１の充電方式にしたがってその存在の可否を決めることができる。例えば、充電モジュール１７が外部からジャックと連結して充電される場合、外部バッテリ収容部と外部バッテリカバー部は、１つの充電部または充電回路などに代替することもできる。
【００７２】
本発明の一実施形態によると、充電モジュール１７は、撮影モジュール１１を充電するための充電連結端子を備えることができる。また、充電モジュール１７の充電方式として無線充電だけが採用された場合、充電連結端子は省略することもできる。
【００７３】
本発明の追加の形態において、充電モジュール１７は、フレキシブル装置の設計仕様に応じてフレキシブル本体の特定の位置に形成することができる。一例として、充電モジュール１７は、フレキシブル本体の内部空間のうち少なくとも１つに形成することができる
。本発明の追加の実施形態によると、充電モジュール１７は、撮影モジュール１１に位置することもできる。
【００７４】
さらに、充電の可否を確認するためのＬＥＤランプが、フレキシブル本体の一領域に位置することもできる。すなわち、フレキシブル本体および／または撮影モジュールのうち少なくとも１つの充電状態を確認することができるモジュールを備えることができる。前記モジュールとしてＬＥＤランプを選択することができる。また、前記ＬＥＤランプの色によって充電状態を確認することができる。例えば、前記ＬＥＤランプの色が緑色であれば充電が完了した状態であることを、ＬＥＤランプの色が青色であれば充電中の状態であることを、ＬＥＤランプの色が赤色であれば充電が必要である状態であることを示すことができる。
【００７５】
上述したモジュールは、本発明の一実施形態による例示に過ぎず、図１に示したモジュールよりも多くのモジュールを備えたり、それよりも少ないモジュールを有する撮影モジュールが備えられたフレキシブル装置２０を実現することもできる。
【００７６】
例えば、少なくとも１つ以上の撮影モジュール１１によって撮影された映像を出力するディスプレイモジュール（図示せず）をさらに設置することができる。さらに、ディスプレイモジュールは、前記フレキシブル本体と一体で変形するように形成することができる。または、ディスプレイモジュールは、前記フレキシブル本体と一体で変形しない剛体であって、前記フレキシブル本体に対して旋回するように形成することができる。また、前記ディスプレイモジュールは、フレキシブル本体から分離し、前記フレキシブル本体を変形させるように構成することもできる。
【００７７】
また、ディスプレイモジュールは、フレキシブル本体の後面に設置し、少なくとも１つ以上の撮影モジュール１１によって形成された映像を出力することができる。このようなディスプレイモジュールは、フレキシブル装置２０と一体で変形するように形成することができる。このために、ディスプレイモジュールとして、フレキシブルディスプレイ基板を採用することができる。例えば、Ｓｔｅｅｌ、Ｐｏｌｙｉｍｉｄｅ、Ｐｏｌｙｅｔｈｅｒｅｔｈｅｒｋｅｔｏｎ（ＰＥＥＫ）、Ｐｏｌｙｅｔｈｅｒｓｕｌｆｏｎｅ（ＰＥＳ）、Ｐｏｌｙｅｔｈｅｒｉｍｉｄｅ（ＰＥＩ）、Ｐｏｌｙｃａｒｂｏｎａｔｅ（ＰＣ）、Ｐｏｌｙｅｔｈｙｌｅｎｅｎａｐｔｈａｌａｔｅ（ＰＥＮ）、およびＰｏｌｙｅｓｔｅｒ（ＰＥＴ）のうち少なくとも１つを採用することができる。
【００７８】
追加の実施形態によるディスプレイモジュールは、フレキシブル装置２０と一体で変形しないように形成することができる。すなわち、ディスプレイモジュールとして、従来のディスプレイモジュールのように剛体で形成されたディスプレイモジュールを使用することもできる。
【００７９】
制御モジュール１０は、撮影モジュールが備えられたフレキシブル装置２０に内蔵され、少なくとも１つ以上の撮影モジュール１１を制御して被写体を撮影し、少なくとも１つ以上の映像を格納することができる。このような制御モジュール１０は、撮影モジュール１１、格納モジュール１２、通信モジュール１３、音声制御モジュール１４、速度感知モジュール１５、動作モジュール１６、および充電モジュール１７を制御するようにドライブＩＣ（ｄｒｉｖｅ  ＩＣ）、ＡＳＩＣ、メモリ（Ｍｅｍｏｒｙ）などのような多くの電子部品で構成することができる。上述したモジュールは、本発明の一実施形態による例示に過ぎず、さらに多いかさらに少ないモジュールが存在することもできる。
【００８０】
また、制御モジュール１０は、フレキシブル本体２５が変形するときに一体で変形するように、フレキシブル基板（ｆｌｅｘｉｂｌｅ  ｐｒｉｎｔ  ｃｉｒｃｕｉｔ  ｂｏａｒ
ｄ）上に上述したような電子部品を組み立てて形成することができる。さらに、制御モジュール１０の後面には、制御モジュール１０を保護するために保護フィルムを付着することができる。または、制御モジュール１０を保護するための保護層を形成することができる。
【００８１】
本明細書で説明される多様な実施形態は、例えば、ソフトウェア、ハードウェア、またはこれらの組み合わせを利用してコンピュータまたはこれと類似する装置で読み取ることができる記録媒体または格納媒体内で実現することができる。
【００８２】
例えば、ハードウェア的な実現によると、本明細書で説明される実施形態は、ＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ（ｐｒｏｃｅｓｓｏｒｓ）、制御機（ｃｏｎｔｒｏｌｌｅｒｓ）、マイクロコントローラ（ｍｉｃｒｏ−ｃｏｎｔｒｏｌｌｅｒｓ）、マイクロプロセッサ（ｍｉｃｒｏｐｒｏｃｅｓｓｏｒｓ）、その他の機能実行のための電気的なユニットのうち少なくとも１つを利用して実現することができる。一部の場合には、本明細書で説明される実施形態が制御モジュール１０自体として実現することができる。
【００８３】
他の例示として、ソフトウェア的な実現によると、本明細書で説明される手順および機能と同じ実施形態は、別途のソフトウェアモジュールによって実現することができる。前記ソフトウェアモジュールそれぞれは、本明細書で説明される１つ以上の機能および作動を実行することができる。適切なプログラム言語で書かれたソフトウェアアプリケーションによってソフトウェアコードを実現することができる。前記ソフトウェアコードは、格納モジュール１２に格納され、制御モジュール１０によって実行することができる。
【００８４】
図２ａは、本発明の一実施形態による撮影モジュールを備えたフレキシブル装置を示した図である。
【００８５】
図２ｂは、本発明の一実施形態による撮影モジュールを備えたフレキシブル装置および着脱可能なハウジングを示した図である。
【００８６】
本発明の一実施形態による撮影モジュールが備えられたフレキシブル装置２０は、撮影モジュール２１、ハウジング２３、およびフレキシブル本体２５で構成することができる。
【００８７】
撮影モジュール１１としては、カメラおよびカムコーダのうち少なくとも１つを選択することができる。すなわち、常用中である多様なカメラおよびカムコーダを撮影モジュール１１として採用することもできる。例えば、撮影モジュール１１として高画素のメガ級カメラを使用することができる。または、低画素のＶＧＡ級カメラを採用することもできる。さらに、撮影モジュール１１は、前記フレキシブル本体で交換が可能である。
【００８８】
本発明の追加の実施形態によるハウジング２３は、図２ａに示すように、フレキシブル本体２５の一端部と結合することができる。前記ハウジング２３は、前記撮影モジュール１１の少なくとも一部分を収容し、撮影モジュール１１の少なくとも上側面を覆って撮影モジュール１１を保護することができる。これにより、撮影モジュール２１は、フレキシブル本体２５およびハウジング２３によって支持され、外部の衝撃から保護されることができる。
【００８９】
追加で、ハウジング２３は、前記撮影モジュール１１を外部の水分から保護するために、前記ハウジングの少なくとも一部分を防水素材で構成することができる。例えば、ハウジングの一部分は、光の透過率が高いプラスチックで構成することもできる。
【００９０】
本発明の追加の実施形態によると、ハウジング２３は、図２ｂに示すように、前記ハウジング２３の少なくとも一部分が分離し、前記撮影モジュール１１および前記フレキシブル本体２５のうち少なくとも１つから着脱が可能である。したがって、前記ハウジング２３は、図２ｂに示すように、ユーザの選好度に応じて多様な形態のハウジング２３に交換することができるため、審美性を増大させることができる。
【００９１】
本発明の追加の実施形態によると、ハウジング２３は、前記ハウジング２３の少なくとも一部分と結合するレンズをさらに含むことができる。また、前記レンズは、前記ハウジング２３から着脱可能である。すなわち、レンズの配列およびレンズの焦点距離を変更することができる。
【００９２】
本発明の一実施形態によると、レンズは、非球面レンズおよび球面レンズのうち少なくとも１つを採用することができる。さらに、手ぶれ補正などのために複数のレンズを採用することができる。
【００９３】
言い換えると、ハウジング２３の一部分には、レンズを挿入することができるレンズ収容部またはレンズ固定部を形成することができる。したがって、ユーザの選好に応じて多様な形態（例えば、広角または望遠モードなど）のレンズを挿入および取り外すことで、多様なモードの撮影を可能にする。
【００９４】
例えば、ハウジング２３は、下側が開放する∩またはΠの形状を有することができ、ハウジング２３がフレキシブル本体２５の上端部と結合する場合、レンズモジュールを外部に露出させることができる。このような場合、ハウジング２３の下側に個別のレンズを付着または着脱することができ、ハウジング２３がフレキシブル本体２５と結合する場合、レンズモジュールの前方部に追加のレンズを位置させることができる。
【００９５】
さらに他の例として、ハウジング２３それぞれには、互いに異なるレンズを固定させて形成することができる。図２ｂを参照すると、例えば、着脱したハウジング２３のうち、猫形状のハウジングは広角レンズを含み、熊形状のハウジングは望遠レンズを含むことができる。これにより、ユーザの必要に応じて多様なレンズを含むハウジングを付着および着脱することができる。これにより、多様なモードの撮影を可能にする。上述した内容は、本発明の一実施形態による一例に過ぎず、互いに異なるレンズを含む互いに異なるハウジング２３は、その区別のために、色、形状、および材質のうち少なくとも１つを異にすることができる。
【００９６】
上述したようなハウジング２３は、フレキシブル本体２５と同じ素材で形成することができる。または、フレキシブル本体とは異なる素材で形成することもできる。
【００９７】
例えば、ハウジング２３は、フレキシブル本体２５と一体で変形することができる柔軟性を備えた材質で形成することができる。したがって、ハウジング２３は、柔軟性を有するプラスチックや金属で形成することができる。
【００９８】
さらに他の例として、ハウジング２３は、弾性を有する弾性部材で構成することができる。弾性部材は、ポリビニルアセテート、ポリウレタン、ゴム、またはシリコンなどのような弾性を有する合成樹脂などを含むことができる。追加で、前記ハウジングは、プラス
チックおよび／またはメタルであることができる。例えば、ポリアミド樹脂、ポリフェニレンオキサイド、アセタール樹脂などを含むことができる。
【００９９】
さらに、前記ハウジング２３の内部には、撮影モジュールの内部に構成される構成物を保護して電磁波ノイズを遮断する機能をさらに備えることもできる。
【０１００】
図に示されてはいないが、前記ハウジング２３には、フラッシュモジュールが収容されるように形成されたフラッシュモジュールハウジングを結合することができる。ここで、前記フラッシュモジュールハウジングは、フラッシュモジュールが収容されるように上下部が開放する箱体形で形成することができる。また、前記フラッシュモジュールハウジングは、フェノール樹脂、尿素樹脂、メラミン樹脂、不飽和ポリエステル樹脂、およびエポキシ樹脂などの熱硬化性プラスチック、およびポリエチレン、ポリプロピレン、ポリ塩化ビニル、ポリアミドナイロン、ポリカーボネート（ＰＣ）、ポリアセタール、およびポリフェニレンスルファイドなどの熱可塑性プラスチックのうち少なくとも１つであることができる。例えば、フラッシュモジュールハウジングは、ポリカーボネートプラスチックで形成することができる。または、フラッシュモジュールハウジングは、液晶ポリマ（Ｌｉｑｕｉｄ  Ｃｒｙｓｔａｌ  Ｐｏｌｙｍｅｒ）プラスチックで形成することもできる。
【０１０１】
フレキシブル本体２５は、持ち手部をさらに備えることができる。持ち手部は、フレキシブル本体２５の一端に位置することができる。さらに、撮影モジュールが備えられたフレキシブル装置２０は、図に示すように、フレキシブル本体２５の両終端部の面積を前記フレキシブル本体２５の中間部の面積よりも広くすることができる。
【０１０２】
本発明の追加の実施形態によると、キー入力部２７は、フレキシブル本体２５の一領域に位置することができる。図に示すように、キー入力部２７は、フレキシブル本体２５の下端部（例えば、持ち手部）に位置することができる。さらに１つの例として、キー入力部２７は、通信モジュール１３と通信可能なリモートコントローラで形成することもできる。さらに、キー入力部は、前記通信モジュール１３と通信可能な外部デバイスのユーザ入力モジュール（図示せず）（例えば、タッチパッド、マイクロフォン、およびキーボードなど）に対応することもできる。
【０１０３】
キー入力部２７は、ソフトキー入力部および物理キー入力部のうち少なくとも１つの形態で備えることもできる。すなわち、ディスプレイをタッチすることによって入力されたり、または、キーを押すことによって前記入力に対応する動作を実行することができる。例えば、「イメージ格納」入力を受信する物理キー入力部で予め決められた基準を超過する圧力が感知されると、撮影されたイメージを格納することができる。また、「格納されたイメージ削除」に対するタップとしてタッチジェスチャが感知されると、格納されたイメージを削除することもできる。
【０１０４】
また、上述したように、キー入力部２７は、撮影モジュールが備えられたフレキシブル装置２０と通信可能な外部デバイス（図示せず）のタッチパッド、キーパッド、マウス、スイッチ、およびキーボードのうち少なくとも１つであることができる。また、キー入力部は、マイクロフォンなどの音声入力装置であることができる。
【０１０５】
キー入力部が音声入力装置である場合、上述した音声制御モジュール１４によって撮影モジュール１１を制御することができる。追加で、音声制御モジュール１４によって音声命令を設定し、設定された音声命令に基づいて撮影モジュール１１を制御することができる。例えば、「撮影」という音声命令を受信したときには撮影モジュール１１は被写体を撮影し、「格納」という音声命令を受信したときには前記撮影された１つ以上の映像を格納することができる。
【０１０６】
追加で、前記音声制御モジュール１４は、少なくとも２つ以上の音声命令信号を読み取ることができ、連続的な音声命令の受信に基づいて撮影モジュール１１を制御することができる。すなわち、「撮影後に格納」、「撮影して格納」、「撮影、格納」、および「撮影して格納してください」などの音声命令を受信した場合、受信した音声命令の組み合わせ（すなわち、予め設定された音声命令である「撮影」と「格納」）を認識し、撮影モジュール１１は、被写体を撮影すると同時に撮影された映像を格納することができる。
【０１０７】
本発明の一実施形態によるフレキシブル本体２５は、曲がり変形、拗じれ変形などの自由な変形が可能なように形成することができる。例えば、フレキシブル本体２５は、少なくとも図２に示されたフレキシブル本体２５の左右に力が加えられると、図３ａおよび図３ｂに示すように変形することができる。さらに、フレキシブル本体２５の力を加えると、図４に示すように、膨らんだり凹凸に一定の曲率に曲がることができる。さらに、フレキシブル本体２５の上下に力を加えると、フレキシブル本体２５は、高さ方向に一定の部分が増えたり減ることもできる。また、フレキシブル本体２５は、変形後に原状復帰が容易なように形成することができる。例えば、フレキシブル本体２５は、ＰＤＭＳ（Ｐｏｌｙ  Ｄｉｍｅｔｈｙｌ  Ｓｉｌｉｃｏｎｅ）のような柔軟なポリマ（ｐｏｌｙｍｅｒ）材料で形成することができる。
【０１０８】
また、フレキシブル本体２５は、変形した状態を維持する性質を有する材料で形成することもできる。したがって、フレキシブル本体２５に一定の力が加えられてフレキシブル本体２５の形状が変形した後、前記力が解除されても、フレキシブル本体２５は、変形した形態をそのまま維持するようになる。
【０１０９】
上述したように、フレキシブル本体２５は、少なくとも１つ以上の撮影モジュール２１を支持および収容し、一定の力が加えられると変形するように形成することができる。追加で、フレキシブル本体２５は、格納モジュール１２、通信モジュール１３、および制御モジュール１０を備え、一体型に形成され、力が加えられると変形し、力が解除されても変形した状態をそのまま維持することができる。これについては、図３、図４、および図５を参照する。
【０１１０】
本発明の追加の実施形態によると、フレキシブル本体２５は、キー入力部２７をさらに備えることができる。キー入力部２７は、フレキシブル本体２５の一端面に形成することができる。例えば、キー入力部は、図に示すように、フレキシブル本体２５の下端部に形成することができる。または、フレキシブル本体２５の中間地点に形成することもできる。
【０１１１】
また、フレキシブル本体２５の内面に、前記ハウジングを自動で変形させることができる駆動部（図示せず）をさらに備えることができる。本発明の一実施形態による駆動部は、ユーザの設定によってフレキシブル本体２５を自動で一定の曲率で曲がるように形成することができる。したがって、ユーザがフレキシブル本体２５を手で直接曲げる必要がない。このような駆動部は、フレキシブル本体２５に力を加えて変形させることができるように、電気活性高分子（ｅｌｅｃｔｒｏａｃｔｉｖｅ  ｐｏｌｙｍｅｒ）、圧電材料（ｐｉｅｚｏｅｌｅｃｔｒｉｃ  ｍａｔｅｒｉａｌ）、または形状記憶合金で形成することができる。または、フレキシブル本体２０を変形させることができるモータ駆動構造で形成することができる。
【０１１２】
本発明の一形態において、フレキシブル本体２５の一端部には、キー入力部のようなモジュールを外部に露出するためのモジュール開口部を形成することもできる。さらに、フレキシブル本体２５は、充電器端子および／またはＵＳＢ端子などのような外部端子との
接続のための外部端子用開口部を備えることもできる。
【０１１３】
上述したように、撮影モジュールを備えたフレキシブル装置２０は、力が加えられると変形し、力が解除されても変形した状態をそのまま維持するフレキシブル本体を備えることができる。したがって、力の方向によって曲げたり広げることができる。
【０１１４】
図３ａは、本発明の一実施形態による撮影モジュールを備えたフレキシブル装置の回転動作の例示的な形状を示した図である。
【０１１５】
図３ｂは、本発明の他の実施形態による撮影モジュールを備えたフレキシブル装置の回転動作の例示的な形状を示した図である。
【０１１６】
図３ａおよび図３ｂを参照すると、フレキシブル本体２５の左右に力を加えたとき、フレキシブル本体２５は、力が加えられた方向に回転することができる。
【０１１７】
図４は、本発明の一実施形態による撮影モジュールを備えたフレキシブル装置の屈曲動作の例示的な形状を示した図である。すなわち、フレキシブル本体２５に力を加えると、力が加えられた方向に膨らんだり凹凸に曲がることができる。
【０１１８】
すなわち、撮影モジュールを備えたフレキシブル装置２０は、回転および／または屈曲動作が可能であるため、多様な構図で被写体を撮影することができる。
【０１１９】
図５は、本発明の一実施形態による撮影モジュールを備えたフレキシブル装置を手首に装着した形状を示した図である。
【０１２０】
図５を参照すると、上述したフレキシブル本体の特性により、撮影モジュールを備えたフレキシブル装置２０は、手首を覆う形態で着用することもできる。このために、追加のアクセサリ（例えば、前記装置をさらにしっかりと手首に結着させるための補助装置）が存在することもできる。
【０１２１】
本発明の一実施形態によると、ユーザは、前記撮影モジュールを備えたフレキシブル装置２０により、自転車や山岳などのアクティビティを楽しみながら被写体を撮影することができる。例えば、フレキシブル装置２０は、ユーザが自転車に乗りながら景色を撮影できるように許容することができる。また、フレキシブル装置は、ユーザがダンスをしながら自分の顔を撮影できるように許容することもできる。
【０１２２】
また、撮影モジュールを備えたフレキシブル装置２０は、図に示すように、拗じって巻くこともでき、または撓らせたり曲げることができるため、容易に携帯することができる。また、多様な構図で被写体を撮影することができる。
【０１２３】
さらに他の例として、撮影モジュールを備えたフレキシブル装置２０は、上述したように撓らせたり曲げることができるため、ベルト機能をさらに備えることにより、携帯性および機能性をさらに増大させることができる。このために、撮影モジュールを備えたフレキシブル装置２０の両終端には、前記装置を固定するための締結部をさらに備えることができる。例えば、ハウジングの一部には結合突起を、持ち手部の一部には結合溝を形成することができる。または、フレキシブル装置２０の内部にマグネットを形成し、別途の締結部がなくてもフレキシブル装置の両終端を固定することもできる。
【０１２４】
本発明の技術分野において通常の知識を有する者は、情報および信号が任意の多様な相違する技術および技法を利用して表現できるということを理解できるであろう。例えば、
上述で参照されるデータ、指示、命令、情報、信号、ビット、シンボル、およびチップは、電圧、電流、電磁気波、磁場または粒子、光学場または粒子、またはこれらの任意の組み合わせによって表現することができる。
【０１２５】
本発明の技術分野において通常の知識を有する者は、ここで開示された実施形態と関連して説明された多様な例示的な論理ブロック、モジュール、プロセッサ、手段、回路、およびアルゴリズム段階が、電子ハードウェア、（便宜のために、ここでは「ソフトウェア」と指称する）多様な形態のプログラムまたは設計コード、またはこれらすべての結合によって実現できるということを理解できるであろう。ハードウェアおよびソフトウェアのこのような相互互換性を明確に説明するために、多様な例示的なコンポーネント、ブロック、モジュール、回路、および段階がこれらの機能と関連して一般的に上述された。このような機能がハードウェアまたはソフトウェアとして実現されるか否かは、特定のアプリケーションおよび全体システムに対して賦課される設計制約によって左右される。本発明の技術分野において通常の知識を有する者は、それぞれの特定のアプリケーションに対して多様な方式で説明された機能を実現することができるが、このような実現決定が本発明の範囲を逸脱するものと解釈されてはならない。
【０１２６】
ここで提示された多様な実施形態は、方法、装置、または標準プログラミング、および／またはエンジニアリング技術を使用した製造物品（ａｒｔｉｃｌｅ）によって実現することができる。用語「製造物品」は、任意のコンピュータ−読み取り可能な装置からアクセス可能なコンピュータプログラム、キャリア、または媒体（ｍｅｄｉａ）を含む。例えば、コンピュータ−読み取り可能な媒体は、磁気格納装置（例えば、ハードディスク、フロッピ、磁気ストリップなど）、光学ディスク（例えば、ＣＤ、ＤＶＤなど）、スマートカード、およびフラッシュメモリ装置（例えば、ＥＥＰＲＯＭ、カード、スティック、キードライブなど）を含むが、これらに制限されることはない。また、ここで提示される多様な格納媒体は、情報を格納するための１つ以上の装置および／または他の機械−読み取り可能な媒体を含む。用語「機械−読み取り可能な媒体」は、命令（ら）および／またはデータを格納、保有、および／または伝達することができる無線チャネルおよび多様な他の媒体を含むが、これらに制限されることはない。
【０１２７】
提示されたプロセスにある段階の特定の順序または階層構造は、例示的な接近の一例であることを理解しなければならない。設計の優先順位に基づき、本発明の範囲内でプロセスにある段階の特定の順序または階層構造が再配列されるということを理解しなければならない。添付の特許請求の範囲は、サンプル手順に多様な段階のエレメントを提供するが、提示された特定の順序または階層構造に限定されることを意味するものではない。
【０１２８】
提示された実施形態についての説明は、任意の本発明の技術分野において通常の知識を有する者が本発明を利用したり実施できるように提供される。このような実施形態に対する多様な変形は、本発明の技術分野において通常の知識を有する者にとって明白であるはずであり、ここで定義された一般的な原理は、本発明の範囲を逸脱することなく他の実施形態に適用することができる。したがって、本発明は、ここに提示された実施形態に限定されるものではなく、ここに提示された原理および新規の特徴と一貫する最広義の範囲として解釈されなければならない。
【０１２９】
<発明を実施するための形態>
上述したように、発明を実施するための最善の形態で関連内容を記述した。
【産業上の利用可能性】
【０１３０】
本発明は、フレキシブル装置、携帯電子機器、カメラおよびカムコーダなど撮影装置、通信装置、充電装置、アクセサリ、スポーツ用品などに使用することができる。
【図１】
2018078581.tif 000003
【図２ａ】
2018078581.tif 000004
【図２ｂ】
2018078581.tif 000005
【図３ａ】
2018078581.tif 000006
【図３ｂ】
2018078581.tif 000007
【図４】
2018078581.tif 000008
【図５】
2018078581.tif 000009